(57)【要約】【課題】筐体に着脱体を固定する第１の固定部材及び第２の固定部材による固定及び固定の解除を、他の工具を用いることなく簡単に行うことができ、筐体を構成する複数の筐体部品を固定する第３の固定部材が、誤って固定を解除される虞のない電気機器、プロジェクタ及び固定に用いられるねじを提供する。【解決手段】開口９を閉じる蓋体２０を操作用ねじ３０で筐体１に固定し、ランプユニット５０を六角型ねじ４０で筐体１に固定する。操作用ねじ３０のねじ軸部の先端部分に、六角型ねじ４０のねじ頭部に形成された六角形の凹部に係合する係合部を設ける。また、筐体１を構成する上部筐体２及び下部筐体３は、操作用ねじ３０の係合部に係合しない＋型の溝がねじ頭部に形成された＋型ねじ４５を用いて固定する。【選択図】図６
2007171670.tif 000002
【特許請求の範囲】
【請求項１】
筐体と、該筐体に着脱可能な着脱体とを備える電気機器において、
前記着脱体を前記筐体に固定する第１及び第２の固定部材を備え、
前記第１の固定部材は、
前記着脱体の前記筐体への固定を解除した場合に、前記筐体及び前記着脱体から離脱可能にしてあり、
前記筐体及び前記着脱体から離脱した場合に、前記第２の固定部材に係合する係合部を有し、
前記第２の固定部材は、
前記第１の固定部材の前記係合部に係合される被係合部を有し、
該被係合部に係合された前記第１の固定部材により操作されて、前記着脱体の前記筐体への固定及び固定の解除を行うようにしてあること
を特徴とする電気機器。
【請求項２】
前記第１の固定部材は、
一端に前記係合部が設けられ、前記着脱体に形成された貫通孔を挿通して前記筐体に形成されたねじ穴に螺合するねじ軸部と、
該ねじ軸部の他端に設けられ、前記ねじ軸部を回転させる操作を行うための操作部と
を有する請求項１に記載の電気機器。
【請求項３】
前記第２の固定部材は、
前記着脱体に形成された貫通孔を挿通して前記筐体に形成されたねじ穴に螺合するねじ軸部と、
前記被係合部が設けられたねじ頭部と
を有するねじである請求項１又は請求項２に記載の電気機器。
【請求項４】
前記筐体は、複数の筐体部品により構成され、
一の筐体部品を他の筐体部品に固定する第３の固定部材を備え、
該第３の固定部材は、前記第１の固定部材に係合しないようにしてある請求項１乃至請求項３のいずれか１つに記載の電気機器。
【請求項５】
筐体と、該筐体に形成された開口から前記筐体内に着脱可能に装着されるランプユニットと、前記開口を覆う蓋体とを備えるプロジェクタにおいて、
前記蓋体を前記筐体に固定する第１の固定部材と、
前記ランプユニットを前記筐体に固定する第２の固定部材と
を備え、
前記第１の固定部材は、
前記蓋体の前記筐体への固定を解除した場合に、前記筐体及び前記蓋体から離脱可能にしてあり、
前記筐体及び前記蓋体から離脱した場合に、前記第２の固定部材に係合する係合部を有し、
前記第２の固定部材は、
前記第１の固定部材の前記係合部に係合される被係合部を有し、
該被係合部に係合された前記第１の固定部材により操作されて、前記ランプユニットの前記筐体への固定及び固定の解除を行うようにしてあること
を特徴とするプロジェクタ。
【請求項６】
前記筐体は、複数の筐体部品により構成され、
一の筐体部品を他の筐体部品に固定する第３の固定部材を備え、
該第３の固定部材は、前記第１の固定部材に係合しないようにしてある請求項５に記載のプロジェクタ。
【請求項７】
ねじ溝が形成され、他のねじのねじ頭部に係合する係合部が一端に設けられたねじ軸部と、
該ねじ軸部の他端に設けられ、前記ねじ軸部を回転させる操作を行うための操作部と
を備え、
前記係合部が係合した前記他のねじを、前記操作部の操作により回転させるようにしてあること
を特徴とするねじ。
【発明の詳細な説明】
【技術分野】
【０００１】
本発明は、着脱可能な着脱体を筐体に固定する場合に、別の工具を用いることなく固定を行うことができる電気機器、プロジェクタ及びこの固定を行う場合に用いられるねじに関する。
【背景技術】
【０００２】
近年、光源からの光を変調して映像を形成し、スクリーン上に投影するプロジェクタが普及している。プロジェクタは光源としてハロゲンランプ、キセノンランプ又は水銀ランプ等のランプを有しており、ランプの寿命が尽きた場合にはランプの交換を行う必要がある。ランプの交換は、プロジェクタの筐体に設けられた蓋体を外し、ランプ、ランプを装着するソケット及び電力の供給源に接続するための端子等を有するランプユニットを筐体から着脱して行うようにしてある。
【０００３】
プロジェクタの蓋体及びランプユニットは、筐体にねじ止めされて固定されることが多く、ユーザはこれらの着脱を行う場合には、ねじの固定及び固定解除を行うための工具、所謂ねじ回しを別に用意する必要があり、工具を所持していない場合にはランプの交換を行うことができないという問題があった。また、プロジェクタ以外の電気機器、例えばノート型のパーソナルコンピュータにおいて、内蔵のハードディスク又はバッテリ等の部品を交換する場合などであっても同様の問題がある。
【０００４】
特許文献１においては、ランプが収納されたランプボックスと、ランプボックスを内部に着脱するための開口が形成されたプロジェクタ本体と、開口を開閉するためのランプドアとを備え、ランプボックスを筐体に固定するねじの頭部に形成されたねじ操作溝に係合するリブをランプドアに設け、ランプドアを用いてランプボックスを固定するねじを緩める又は締めることによりランプボックスの交換を行うことができる画像表示用プロジェクタが提案されている。
【特許文献１】特開２００４−３４７７８９号公報
【発明の開示】
【発明が解決しようとする課題】
【０００５】
しかしながら、特許文献１に記載の画像表示用プロジェクタにおいては、ランプボックス及びプロジェクタの開口の形状に合わせて、ランプドアの形状は略矩形であり、また、ねじの頭部に係合するリブは、ランプドアの中央に設けることができず、ランプドアの縁部分近傍に設けられているため、ねじを回転させる場合の操作性が悪いという問題がある。また、ランプドアは筐体にねじ止めされず、ランプドアに設けられた爪状の係合片が筐体に係合するのみにより筐体に固定される構成であるため、ランプドアを筐体に確実に固定することができず、ランプドアが筐体から脱落する虞がある。
【０００６】
また、プロジェクタは蓋体及びランプユニットを筐体に固定するためのねじのみではなく、複数に分割された筐体を組み立てて固定するためのねじ、又は他の部品を筐体に固定するためのねじ等の他のねじを備えており、ユーザがランプユニットを交換する際に、誤って他のねじを緩める又は外す虞があった。
【０００７】
本発明は、斯かる事情に鑑みてなされたものであって、その目的とするところは、筐体に着脱体を第１の固定部材及び第２の固定部材を用いて固定する場合に、第２の固定部材に係合する係合部を第１の固定部材に設け、第１の固定部材を筐体及び着脱体から離脱して第２の固定部材に係合させ、第１の固定部材を操作して第２の固定部材の固定及び固定の解除を行う構成とすることにより、他の工具を用いることなく第２の固定部材の固定及び固定の解除を行うことができる電気機器を提供することにある。
【０００８】
また本発明の他の目的とするところは、第１の固定部材を、ねじ軸部の一端に第２の固定部材に係合する係合部を設け、ねじ軸部の他端にねじ軸部を回転させる操作部を設ける構成とすることにより、第１の固定部材による筐体及び着脱体の固定及び固定の解除を操作部により簡単に行うことができ、第１の固定部材を用いて第２の固定部材の固定及び固定の解除を行う場合の操作性がよい電気機器を提供することにある。
【０００９】
また本発明の他の目的とするところは、第２の固定部材を、第１の固定部材の係合部に係合される被係合部がねじ頭部に設けられたねじとする構成とすることにより、第１の固定部材を第２の固定部材に係合させて回転させることで、第２の固定部材による筐体及び着脱体の固定及び固定の解除を簡単に行うことができる電気機器を提供することにある。
【００１０】
また本発明の他の目的とするところは、筐体が複数の筐体部品により構成され、これらの固定を第３の固定部材により行う場合に、第３の固定部材が第１の固定部材に係合しない構成とすることにより、第１の固定部材を用いて第２の固定部材の固定の解除を行う場合に、誤って第３の固定部材の固定を解除する虞がない電気機器を提供することにある。
【００１１】
また本発明の他の目的とするところは、筐体の開口からランプユニットを筐体内に収容して第２の固定部材にて固定し、筐体の開口を蓋体で閉じて第１の固定部材にて固定する場合に、第２の固定部材に係合する係合部を第１の固定部材に設け、第１の固定部材を筐体及び蓋体から離脱して第２の固定部材に係合させ、第１の固定部材を操作して第２の固定部材の固定及び固定の解除を行う構成とすることにより、他の工具を用いることなく第２の固定部材の固定及び固定の解除を行うことができるプロジェクタを提供することにある。
【００１２】
また本発明の他の目的とするところは、筐体が複数の筐体部品により構成され、これらの固定を第３の固定部材により行う場合に、第３の固定部材が第１の固定部材に係合しない構成とすることにより、第１の固定部材を用いて第２の固定部材の固定の解除を行う場合に、誤って第３の固定部材の固定を解除する虞がなく、また、筐体及び蓋体を第１の固定部材により確実に固定することができるプロジェクタを提供することにある。
【００１３】
また本発明の他の目的とするところは、ねじ軸部の一端に他のねじのねじ頭部に係合する係合部を設け、ねじ軸部の他端にねじ軸部を回転させる操作部を設ける構成とすることにより、他のねじの固定及び固定の解除を他の工具を用いることなく簡単に行うことができるねじを提供することにある。
【課題を解決するための手段】
【００１４】
本発明に係る電気機器は、筐体と、該筐体に着脱可能な着脱体とを備える電気機器において、前記着脱体を前記筐体に固定する第１及び第２の固定部材を備え、前記第１の固定部材は、前記着脱体の前記筐体への固定を解除した場合に、前記筐体及び前記着脱体から離脱可能にしてあり、前記筐体及び前記着脱体から離脱した場合に、前記第２の固定部材に係合する係合部を有し、前記第２の固定部材は、前記第１の固定部材の前記係合部に係合される被係合部を有し、該被係合部に係合された前記第１の固定部材により操作されて、前記着脱体の前記筐体への固定及び固定の解除を行うようにしてあることを特徴とする。
【００１５】
本発明においては、着脱体を筐体に固定する第１の固定部材及び第２の固定部材のうち、第１の固定部材を筐体及び着脱体から離脱可能とし、第２の固定部材に係合する係合部を設ける。筐体及び着脱体の固定を行う場合には、第１の固定部材を用いて第２の固定部材による固定を行い、その後に第１の固定部材による固定を行う。筐体及び着脱体の固定の解除を行う場合には、まず第１の固定部材の固定を解除して筐体及び着脱体から離脱し、第１の固定部材を用いて第２の固定部材の固定の解除を行う。よって、第２の固定部材の固定及び固定の解除を第１の固定部材のみで行うことができる。
【００１６】
また、本発明に係る電気機器は、前記第１の固定部材が、一端に前記係合部が設けられ、前記着脱体に形成された貫通孔を挿通して前記筐体に形成されたねじ穴に螺合するねじ軸部と、該ねじ軸部の他端に設けられ、前記ねじ軸部を回転させる操作を行うための操作部とを有することを特徴とする。
【００１７】
本発明においては、第１の固定部材のねじ軸部の一端に第２の固定部材に係合する係合部を設け、他端にねじ軸部を回転させるための操作部を設ける。第１の固定部材により筐体及び着脱体の固定を行う場合には、筐体又は着脱体にねじ穴を形成しておき、操作部を操作してねじ軸部をねじ穴に螺合させることで簡単に且つ確実に固定を行うことができる。筐体及び着脱体の固定の解除を行う場合には、第１の固定部材を操作部を操作することで固定を解除して筐体及び着脱体から離脱し、第２の固定部材に係合部を係合させ、操作部を操作して第２の固定部材による固定の解除を行うことができる。
【００１８】
また、本発明に係る電気機器は、前記第２の固定部材が、前記着脱体に形成された貫通孔を挿通して前記筐体に形成されたねじ穴に螺合するねじ軸部と、前記被係合部が設けられたねじ頭部とを有するねじであることを特徴とする。
【００１９】
本発明においては、第２の固定部材として、ねじ頭部に第１の固定部材の係合部に係合される被係合部が形成されたねじを用いる。第１の固定部材の係合部が、”＋”型、”−”型、星型又は六角型等のねじ回しと同様の形状である場合には、第２の固定部材にこれらと係合する形状の溝が形成された従来からのねじを利用することができ、第１の固定部材をねじ回しとして用いて第２の固定部材を回転させ、簡単に固定及び固定の解除を行うことができる。
【００２０】
また、本発明に係る電気機器は、前記筐体が、複数の筐体部品により構成され、一の筐体部品を他の筐体部品に固定する第３の固定部材を備え、該第３の固定部材は、前記第１の固定部材に係合しないようにしてあることを特徴とする。
【００２１】
本発明においては、筐体が複数の筐体部品により構成される場合に、第１の固定部材に係合しない第３の固定部材を用いて、複数の筐体部品の固定を行う。複数の筐体部品の固定を第２の固定部材を用いて行った場合には、第１の固定部材を用いてユーザが複数の筐体部品の固定を簡単に解除でき、電気機器が故障する虞があるが、複数の筐体部品の固定を第３の固定部材を用いて行うことにより、第１の固定部材を用いて複数の筐体の固定の解除をユーザが誤って行うことがない。
【００２２】
また、本発明に係るプロジェクタは、筐体と、該筐体に形成された開口から前記筐体内に着脱可能に装着されるランプユニットと、前記開口を覆う蓋体とを備えるプロジェクタにおいて、前記蓋体を前記筐体に固定する第１の固定部材と、前記ランプユニットを前記筐体に固定する第２の固定部材とを備え、前記第１の固定部材は、前記蓋体の前記筐体への固定を解除した場合に、前記筐体及び前記蓋体から離脱可能にしてあり、前記筐体及び前記蓋体から離脱した場合に、前記第２の固定部材に係合する係合部を有し、前記第２の固定部材は、前記第１の固定部材の前記係合部に係合される被係合部を有し、該被係合部に係合された前記第１の固定部材により操作されて、前記ランプユニットの前記筐体への固定及び固定の解除を行うようにしてあることを特徴とする。
【００２３】
本発明においては、筐体の開口を閉じる蓋体を第１の固定部材で筐体に固定し、筐体の開口から筐体内に収容したランプユニットを第２の固定部材で筐体に固定する。第１の固定部材は筐体及び蓋体から離脱可能とし、第２の固定部材に係合する係合部を第１の固定部材に設ける。ランプの交換を行う場合には、第１の固定部材による蓋体の固定を解除して、第１の固定部材を筐体及び蓋体から離脱し、第１の固定部材を用いて第２の固定部材の固定を解除し、ランプユニットを筐体から取り出す。その後、新たなランプユニット又は新たなランプに交換したランプユニットを筐体内に収容し、第１の固定部材を用いて第２の固定部材によるランプユニットの固定を行い、蓋体を第１の固定部材で筐体に固定する。よって、第２の固定部材の固定及び固定の解除を第１の固定部材のみで行うことができる。
【００２４】
また、本発明に係るプロジェクタは、前記筐体が、複数の筐体部品により構成され、一の筐体部品を他の筐体部品に固定する第３の固定部材を備え、該第３の固定部材は、前記第１の固定部材に係合しないようにしてあることを特徴とする。
【００２５】
本発明においては、プロジェクタの筐体が複数の筐体部品により構成される場合に、第１の固定部材に係合しない第３の固定部材を用いて、複数の筐体部品の固定を行う。複数の筐体部品の固定を第２の固定部材を用いて行った場合には、第１の固定部材を用いてユーザが複数の筐体部品の固定を簡単に解除でき、ランプユニットの交換を行う際に筐体を誤って解体し、プロジェクタが故障する虞があるが、複数の筐体部品の固定を第３の固定部材を用いて行うことにより、第１の固定部材を用いて複数の筐体の固定の解除をユーザが誤って行う虞がない。
【００２６】
また、本発明に係るねじは、ねじ溝が形成され、他のねじのねじ頭部に係合する係合部が一端に設けられたねじ軸部と、該ねじ軸部の他端に設けられ、前記ねじ軸部を回転させる操作を行うための操作部とを備え、前記係合部が係合した前記他のねじを、前記操作部の操作により回転させるようにしてあることを特徴とする。
【００２７】
本発明においては、ねじ軸部の一端に他のねじのねじ頭部に係合する係合部を設け、ねじ軸部の他端にねじ軸部を回転させる操作部を設ける。これにより、他の工具を用いることなく、他のねじの固定及び固定の解除を行うことができる。また、ねじは回転操作が行いやすい形状であり、他のねじに係合させて回転操作する場合の操作性がよい。
【発明の効果】
【００２８】
本発明による場合は、第２の固定部材に係合する係合部を第１の固定部材に設け、第１の固定部材を筐体及び着脱体から離脱して第２の固定部材に係合させ、第１の固定部材を操作して第２の固定部材の固定及び固定の解除を行う構成とすることにより、他の工具を用いることなく第２の固定部材の固定及び固定の解除を行うことができるため、ユーザが簡単に着脱体を着脱することができる。特に、電気機器が持ち運ぶことが可能なものであり、着脱体を頻繁に着脱する可能性がある場合には、固定部材の固定を解除するための工具を電気機器と共に持ち運ぶ必要がなく、利便性を高める事ができる。
【００２９】
また、本発明による場合は、第１の固定部材のねじ軸部の一端に第２の固定部材に係合する係合部を設け、他端にねじ軸部を回転させるための操作部を設ける構成とすることにより、第１の固定部材による固定及び固定の解除をユーザが簡単に行うことができ、また、第１の固定部材を用いた第２の固定部材の固定及び固定の解除を簡単に行うことができるため、ユーザが簡単に着脱体を着脱することができ、電気機器の利便性を高める事ができる。
【００３０】
また、本発明による場合は、第２の固定部材として、ねじ頭部に第１の固定部材の係合部に係合される被係合部が形成されたねじを用いる構成とすることにより、第１の固定部材を第２の固定部材に係合させて回転させて、第２の固定部材による筐体及び着脱体の固定及び固定の解除を簡単に行うことができるため、ユーザが簡単に着脱体を着脱することができ、電気機器の利便性を高める事ができる。また、第１の固定部材の係合部が、”＋”型、”−”型、星型又は六角型等のねじ回しと同様の形状である場合には、第２の固定部材にこれらと係合する形状の溝が形成された従来からのねじを利用することができるため、この構成による着脱体の固定を実現するためのコストの増加を抑制できる。
【００３１】
また、本発明による場合は、筐体が複数の筐体部品により構成され、これらの固定を第３の固定部材により行う場合に、第３の固定部材が第１の固定部材に係合しない構成とすることにより、着脱体を筐体から離脱するために、第１の固定部材を用いて第２の固定部材の固定の解除を行う場合に、ユーザが誤って第３の固定部材の固定を解除する虞がないため、誤って電気機器を故障させる虞がなく、電気機器の信頼性を高める事ができる。
【００３２】
また、本発明による場合は、第２の固定部材に係合する係合部を第１の固定部材に設け、第１の固定部材をプロジェクタの筐体及び蓋体から離脱して第２の固定部材に係合させ、第１の固定部材を操作して第２の固定部材による筐体及びランプユニットの固定及び固定の解除を行う構成とすることにより、他の工具を用いることなく第２の固定部材の固定及び固定の解除を行うことができるため、ユーザが簡単にランプユニットを着脱して交換することができる。また、プロジェクタは持ち運ぶことが可能であるものが多いが、プロジェクタと共に固定部材の固定を解除するための工具を持ち運ぶことなく、ランプユニットの交換を行うことができる。
【００３３】
また、本発明による場合は、筐体が複数の筐体部品により構成され、これらの固定を第３の固定部材により行う場合に、第３の固定部材が第１の固定部材に係合しない構成とすることにより、ランプユニットの交換を行うために、第１の固定部材を用いて第２の固定部材の固定の解除を行う場合に、ユーザが誤って第３の固定部材の固定を解除する虞がないため、誤ってプロジェクタを故障させる虞がなく、プロジェクタの信頼性を高める事ができる。
【００３４】
また、本発明による場合は、ねじのねじ軸部の一端に、他のねじのねじ頭部に係合する係合部を設け、ねじ軸部の他端にねじ軸部を回転させる操作部を設ける構成とすることにより、他のねじの固定及び固定の解除を他の工具を用いることなく簡単に行うことができるため、これらのねじを用いることで機器の部品交換、組み立て、解体等を簡単に行うことができ、機器の利便性を向上させることができる。また、ねじは回転操作が行いやすい形状であるため、他のねじに係合させて回転操作する場合の操作性がよく、機器の部品交換、組み立て、解体等をより行いやすい。
【発明を実施するための最良の形態】
【００３５】
以下、本発明をその実施の形態を示す図面に基づき具体的に説明する。なお、本実施の形態においては、電気機器としてプロジェクタを例に説明を行う。図１は、本発明に係るプロジェクタの構成を示す斜視図であり、プロジェクタの底面側から見た構成を図示してある。図において１はプロジェクタの筐体であり、筐体１は略直方体をなし、光源をなすランプユニット５０（図５及び図６にて図示する）、光源からの光を光変調して映像を形成するＤＭＤ（Ｄｉｇｉｔａｌ  Ｍｉｃｒｏｍｉｒｒｏｒ  Ｄｅｖｉｃｅ）又は液晶パネル等の光変調デバイス、これらを制御する回路が設けられた回路基板、電源を供給するための電源ユニット等が内部に収容されている。
【００３６】
筐体１は上下方向の略中央で上部筐体２及び下部筐体３の２つに分割されており、先端部分にねじ穴が形成され、上部筐体２の内部に設けられた円柱状のねじ受部に、下部筐体３の底面の四隅にそれぞれ形成された貫通孔を通して、ねじ頭部に＋型の溝が形成された４つの＋型ねじ４５、４５…を螺合させることで、上部筐体２及び下部筐体３が分離不可能に固定されるようにしてある。
【００３７】
図２は、＋型ねじ４５の構成を示す斜視図である。＋型ねじ４５は、ねじ溝が周囲に形成された略円柱形のねじ軸部４６と、ねじ軸部４６の一端側に設けられた略円盤形のねじ頭部４７とを備える構成である。ねじ頭部４７のねじ軸部４６に接続される面の反対面には、＋形の溝４８が形成されており、例えば先端が＋形に形成されたねじ回し、所謂プラスドライバーを用いて回転させることができるようにしてある。
【００３８】
また、筐体１の正面には、略円形の貫通孔４が形成してあり、光変調デバイスにより形成された映像をスクリーンへ投射するための略円柱形の投射レンズ５が、貫通孔４を通して筐体１の内側から外側へ向けて突設してある。また、筐体１の底面には、正面側の略中央に、下面視が略長円形をなす突起である脚部６ａが突設してあり、背面側の両側それぞれには、下面視が略円形をなす略円柱状の突起である脚部６ｂ、６ｂが突設してある。脚部６ａ及び脚部６ｂ、６ｂの３つにより、プロジェクタの筐体１は、例えば床上又は机上に、底面を接触させずに一定の距離を開けて設置することができるようにしてある。また、筐体１の底面には、略矩形の板状をなす蓋体２０が、ねじ頭部に六角形の凹部が形成された六角型ねじ４０と、後述する操作用ねじ３０とにより、下部筐体３に固定されている。
【００３９】
図３は、六角型ねじ４０の構成を示す斜視図である。六角型ねじ４０は、ねじ溝が周囲に形成された略円柱形のねじ軸部４１と、ねじ軸部４１の一端側に設けられ、ねじ軸部４１より径の大きい円柱状のねじ頭部４２とを備える構成である。ねじ頭部４２のねじ軸部４１に接続される面の反対面には、六角形の凹部４３が形成されており、例えば先端が六角形に形成されたねじ回し、所謂六角レンチを用いて回転させることができるようにしてある。
【００４０】
図４は、本発明に係る操作用ねじ３０の構成を示す斜視図であり、操作用ねじ３０の表裏側から見た図を（ａ）及び（ｂ）にそれぞれ図示してある。操作用ねじ３０はねじ溝が周囲に形成された略円柱形のねじ軸部３１を有し、ねじ軸部３１の一端には、突出端面が六角形をなす略六角柱形の係合部３２が突設されている。また、ねじ軸部３１の他端には、略円盤形のねじ頭部３３が、ねじ軸部３１の軸心にねじ頭部３３の中心が一致するようにして設けられている。
【００４１】
ねじ頭部３３の周側面には、ねじ頭部３３の周囲一周にわたって略三角形の複数の凹凸が連続して設けられ、これらの凹凸により滑止部３４が形成されている。滑止部３４により、ユーザは工具を用いることなく操作用ねじ３０のねじ頭部３３を手で回転させることができ、ねじ軸部３１をねじ穴に螺合させて操作用ねじ３０を固定する、又はねじ軸部３１とねじ穴との螺合を解除して操作用ねじ３０を外すことが簡単にできるようにしてある。
【００４２】
また、ねじ頭部３３のねじ軸部３１に接続される面の反対面には、平面視が細長い略長方形をなす回転操作溝３５が形成されている。回転操作溝３５の深さ方向の形状は、両端が浅く中央が深い円弧状にしてあり、円盤形の部材、例えば硬貨の周縁部分を回転操作溝３５に挿入して、操作用ねじ３０を簡単に回転させることができるようにしてある。
【００４３】
また、係合部３２は、図３に示した六角型ねじ４０の六角形の凹部４３に挿入して嵌め合わせ、係合することができるようにしてある。これにより、操作用ねじ３０の係合部３２を六角型ねじ４０の凹部４３に係合させ、操作用ねじ３０のねじ頭部３３を回転操作することで、六角型ねじ４０を回転させることができ、六角型ねじ４０による固定及び固定の解除を行うことができるようにしてある。
【００４４】
図５は、本発明に係るプロジェクタの筐体１から蓋体２０を離脱した場合の分解斜視図であり、図６は、本発明に係るプロジェクタの筐体１から蓋体２０及びランプユニット５０を離脱した場合の分解斜視図である。蓋体２０には、操作用ねじ３０のねじ軸部３１及び係合部３２が挿通可能な貫通孔２１と、六角型ねじ４０のねじ軸部４１が挿通可能な貫通孔２２とが形成されている。また、下部筐体３の底面には略長方形の開口９が形成されており、開口９の両長辺側の周縁部分には、操作用ねじ３０のねじ軸部３１に螺合するねじ穴７と、六角型ねじ４０のねじ軸部４１に螺合するねじ穴８とがそれぞれ設けられている。貫通孔２１及び貫通孔２２の間の距離と、ねじ穴７及びねじ穴８の間の距離とは略等しくしてある。これらにより、蓋体２０の貫通孔２２に六角型ねじ４０を通してねじ穴８に螺合させ、貫通孔２１に操作用ねじ３０を通してねじ穴７に螺合させることで、蓋体２０を下部筐体３の底面に固定し、開口９を閉じることができるようにしてある。
【００４５】
筐体１内にはランプユニット５０が収容されている。ランプユニット５０は、開口９と略同形で開口９より小さい略長方形の板状をなす底板部５１、及び底板部５１上に設けられ、内部にランプを収容するランプ収容部５２を備えている。また、ランプユニット５０の底板部５１の短辺側の両側面には、底板部５１より小さく薄い略長方形の板状をなし、六角型ねじ４０のねじ軸部４１が挿通可能な貫通孔５４が形成された舌片部５３、５３がそれぞれ延設されている。
【００４６】
下部筐体３には、ランプユニット５０を収容可能な略直方体形の凹所であるランプユニット収容部１０が設けられており、ランプユニット収容部１０には開口９を通してランプユニット５０を収容するようにしてある。ランプユニット収容部１０内には、六角型ねじ４０のねじ軸部４１に螺合するねじ穴１２がそれぞれ形成された２つのねじ受部１１、１１が、開口９の両短辺に沿って、ねじ穴１２が開口９から外側へ向くようにして設けられており、開口９からランプユニット収容部１０に挿入されたランプユニット５０の底板部５１に設けられた舌片部５３、５３がねじ受部１１、１１にそれぞれ当接し、舌片部５３、５３の貫通孔５４、５４とねじ受部１１、１１のねじ穴１２、１２との位置が合うようにしてある。
【００４７】
これらにより、ランプユニット５０を開口９から下部筐体３のランプユニット収容部１０へ挿入し、ランプユニット５０の舌片部５３、５３とランプユニット収容部１０のねじ受部１１、１１とを当接させ、舌片部５３、５３の貫通孔５４、５４に六角型ねじ４０、４０を通してねじ受部１１、１１のねじ穴１２、１２に螺合させることで、ランプユニット５０を下部筐体３に固定することができるようにしてある。
【００４８】
プロジェクタを一定期間使用してランプの寿命が尽き、ランプの交換を行う場合には、まず、蓋体２０を下部筐体３に固定している操作用ねじ３０を、ユーザが手回しにて回転させるか、又は回転操作溝３５に硬貨を挿入して回転させるかすることにより、蓋体２０及び下部筐体３から離脱させる。次いで、蓋体２０を下部筐体３に固定している六角型ねじ４０のねじ頭部４２に形成された六角形の凹部４３に、操作用ねじ３０の六角柱形の係合部３２を挿入して係合させ、操作用ねじ３０のねじ頭部３３を回転させて六角型ねじ４０を回転させ、六角型ねじ４０と下部筐体３のねじ穴８との螺合を解除して、六角型ねじ４０を蓋体２０及び下部筐体３から離脱させる。これにより、蓋体２０の下部筐体３に対する固定は解除され、蓋体２０を下部筐体３から外すことができる。
【００４９】
蓋体２０を下部筐体３から外した後、ランプユニット５０を下部筐体３に固定している２つの六角型ねじ４０、４０を操作用ねじ３０を用いて回転させ、六角型ねじ４０、４０とねじ穴１２、１２との螺合を解除して、六角型ねじ４０、４０をランプユニット５０及び下部筐体３から離脱させる。これにより、ランプユニット５０の下部筐体３に対する固定は解除され、ランプユニット５０を下部筐体３から外すことができる。
【００５０】
ランプユニット５０を下部筐体３から外し、新たなランプユニット５０と交換するか、又はランプユニット５０のランプ収容部５２に収容されたランプを新たなランプに交換するかした後、ランプユニット５０を開口９から下部筐体３のランプユニット収容部１０へ挿入し、下部筐体３のねじ受部１１、１１にランプユニット５０の舌片部５３、５３を当接させ、舌片部５３、５３の貫通孔５４、５４に六角型ねじ４０、４０を挿通してねじ受部１１、１１のねじ穴１２、１２に螺合させる。これにより、ランプユニット５０は下部筐体３に固定される。このとき、六角型ねじ４０、４０とねじ穴１２、１２との螺合は、操作用ねじ３０を用いて六角型ねじ４０、４０を回転させることで行うことができる。
【００５１】
次いで、蓋体２０の貫通孔２１と下部筐体３のねじ穴７との位置が合うように、且つ、蓋体２０の貫通孔２２と下部筐体３のねじ穴８との位置が合うように、蓋体２０を開口９を覆って下部筐体３の底面に接触させ、蓋体２０の貫通孔２２を通して六角型ねじ４０を下部筐体３のねじ穴８に螺合させる。このとき、六角型ねじ４０とねじ穴８との螺合は、操作用ねじ３０を用いて行うことができる。六角型ねじ４０とねじ穴８とを螺合させた後、蓋体２０の貫通孔２１を通して操作用ねじ３０を下部筐体３のねじ穴７に螺合させ、蓋体２０を下部筐体３に固定する。このとき、操作用ねじ３０は、ユーザが手回しにて回転させるか、又は回転操作溝３５に硬貨を挿入して回転させるかすることにより、ねじ穴７に螺合させることができる。以上の手順により、プロジェクタのランプの交換を行うことができる。
【００５２】
以上の構成のプロジェクタにおいては、ランプユニット５０及び蓋体２０を下部筐体３に固定する六角型ねじ４０のねじ頭部４２に形成された六角形の凹部４３に係合する六角柱形の係合部３２を、操作用ねじ３０のねじ軸部３１の先端部分に設けることにより、操作用ねじ３０を用いて六角型ねじ４０を回転させることができ、ランプユニット５０及び蓋体２０の下部筐体３への固定及び固定の解除を操作用ねじ３０のみで行うことができる。よって、プロジェクタと共に別の工具を持ち運ぶことなくランプの交換を行うことができる。また、操作用ねじ３０は、蓋体２０を下部筐体３へ固定するために用いられるため、ユーザが誤って紛失する虞がなく、また、蓋体２０を下部筐体３へ確実に固定することができる。
【００５３】
また、操作用ねじ３０のねじ頭部３３に滑止部３４を形成することにより、操作用ねじ３０はユーザが手回しで回転させることが可能であり、また、回転操作溝３５を形成することによりユーザが所持している硬貨を用いて操作用ねじ３０を回転させることが可能であるため、操作用ねじ３０を回転させて固定及び固定の解除を行う場合に、特別な工具が必要ない。また、操作用ねじ３０は回転操作が行いやすい形状であるため、六角型ねじ４０の凹部４３に係合部３２を係合させて回転させる場合にも回転操作しやすく、操作用ねじ３０を用いて簡単に六角型ねじ４０によるランプユニット５０及び蓋体２０の下部筐体３への固定及び固定の解除を行うことができる。
【００５４】
また、操作用ねじ３０の係合部３２は、プロジェクタの上部筐体２及び下部筐体３を固定する＋型ねじ４５の溝４８に係合しないため、操作用ねじ３０を用いて＋型ねじ４５の固定を解除することはできず、ユーザが誤って上部筐体２及び下部筐体３の固定を解除してプロジェクタを分解し、故障させる虞がない。また、六角型ねじ４０及び＋型ねじ４５は従来から用いられている部品であるため、本発明の構成を適用するためのコストの増加を抑制できる。
【００５５】
なお、本実施の形態においては、プロジェクタの上部筐体２及び下部筐体３を＋型ねじ４５を用いて固定し、蓋体２０及びランプユニット５０を下部筐体３に六角型ねじ４０を用いて固定する構成としたが、これに限るものではなく、プロジェクタの上部筐体２及び下部筐体３を固定するねじと、蓋体２０及びランプユニット５０を下部筐体３に固定するねじとが、ねじ頭部に別の形状の凹部又は溝が形成されているものであればよく、操作用ねじ３０の係合部３２の形状を、蓋体２０及びランプユニット５０を下部筐体３に固定するねじのねじ頭部に形成された凹部又は溝に係合可能な形状とすればよい。
【００５６】
また、蓋体２０を下部筐体３に六角型ねじ４０及び操作用ねじ３０を用いて固定する構成としたが、これに限るものではなく、操作用ねじ３０のみで固定する構成としてもよく、例えば、蓋体２０の一端に下部筐体３に係合する爪を形成し、他端側を操作用ねじ３０で下部筐体３に固定する構成としてもよい。また、操作用ねじ３０の形状は図４に示す形状に限るものではない。操作用ねじ３０のねじ頭部３３に滑止部３４及び回転操作溝３５を形成する構成としたが、これに限るものではなく、滑止部３４及び回転操作溝３５のいずれか一方のみを形成する構成であってもよく、滑止部３４及び回転操作溝３５をどちらも形成しない構成であってもよい。また、プロジェクタの筐体１、ランプユニット５０及び蓋体２０等の形状は一例であり、他の形状であってもよい。
【００５７】
また、電気機器としてプロジェクタを例に説明を行ったが、これに限るものではなく、他の電気機器であっても同様の構成を適用することができる。例えば、ノート型のパーソナルコンピュータにおいて、内蔵のハードディスク又はバッテリ等を交換する場合には、筐体の底面に設けられた蓋体を外してハードディスク又はバッテリ等を取り出して新たなものに交換し、交換後に蓋体を閉じて固定する必要があるが、この蓋体を筐体に固定する部分に本発明の構成を適用することができる。
【００５８】
（変形例１）
図７は、本発明の変形例１に係る操作用ねじの構成を示す斜視図である。変形例１に係る操作用ねじ１３０は、ねじ溝が周囲に形成された略円柱形のねじ軸部１３１を有し、ねじ軸部１３１の一端には、突出端面が六角形をなす略六角柱形の係合部１３２が突設されている。また、ねじ軸部１３１の他端には、略円盤形のねじ頭部１３３が、ねじ軸部１３１の軸心にねじ頭部１３３の中心が一致するようにして設けられている。また、ねじ頭部１３３のねじ軸部１３１に接続される面の反対面には、円弧状に突出する板状のつまみ部１３４が設けられており、つまみ部１３４によりユーザが操作用ねじ１３０を手回しして固定及び固定解除の操作を行えるようにしてある。以上の構成の操作用ねじ１３０は、図４に示す操作用ねじ３０と同様の効果を得ることができる。
【００５９】
（変形例２）
図８は、本発明の変形例２に係るランプユニット固定部材１４０の構成を示す斜視図であり、ランプユニット固定部材１４０の表裏側から見た図を（ａ）及び（ｂ）にそれぞれ図示してある。変形例２に係るランプユニット固定部材１４０は、プロジェクタの筐体に形成されたランプ収容部にランプユニットを固定するための部材であり、略長方形の板状の係止板部１４２を有し、係止板部１４２の一面には、一の短辺側に寄せて円柱棒状の軸部１４１が突設され、他面には、軸部１４１より径の大きい円柱状の頭部１４３が、軸部１４１の軸心と頭部１４３の軸心とが一致するようにして突設されている。また、軸部１４１の突出端は丸めてあり、頭部１４３の突出端面には六角形の凹部１４４が形成されている。また、係止板部１４２の頭部１４３が設けられた面には、他の短辺から頭部１４３が設けられた位置まで、係止板部１４２の一の長辺側から他の長辺側へ傾く傾斜面１４５が形成されている。
【００６０】
図９は、本発明の変形例２に係るランプユニット固定部材１４０が配設されたランプユニット収容部１５０の構成を示す斜視図であり、プロジェクタの下部筐体３の開口９近傍を拡大して図示してある。なお、図９においては、下部筐体３の底面を上向けにして図示してあり、（ａ）にランプユニット５０の固定を解除した状態を示し、（ｂ）にランプユニット５０を固定した状態を示してある。ただし、ランプユニット５０は図示を省略してある。
【００６１】
下部筐体３に設けられたランプユニット収容部１５０の内壁には、ランプユニット固定部材１４０の係止板部１４２より大きく、長辺側の一側面をランプユニット収容部１５０内に露出させた状態で係止板部１４２を収容可能な凹部１５１が、内壁に略直交する方向へ形成されている。また、凹部１５１には、凹部１５１から下部筐体３の底面へ貫通し、ランプユニット固定部材１４０の頭部１４３に嵌合する貫通孔が形成され、更にこの貫通孔の反対側へ向けて、ランプユニット固定部材１４０の軸部１４１に嵌合する穴が形成されている。これらにより、ランプユニット固定部材１４０は、頭部１４３の突出端面を下部筐体３の底面に露出させ、軸部１４１を中心に揺動可能に、ランプユニット収容部１５０の内壁に埋設されている。
【００６２】
ランプユニット固定部材１４０は、図４に示す操作用ねじ３０の係合部３２をランプユニット固定部材１４０の頭部１４３に形成された凹部１４４に係合させ、操作用ねじ３０を回転させることにより、揺動させることができ、揺動によりランプユニット固定部材１４０の係止板部１４２がランプ収容部１５０の凹部１５１から出入するようにしてある。図示は省略するが、ランプユニット収容部１５０に収容されるランプユニット５０には、側面にランプユニット固定部材１４０の係止板部１４２が挿入可能な凹部が形成してあり、ランプユニット５０をランプユニット収容部１５０に挿入してランプユニット固定部材１４０を揺動し、ランプユニット５０の凹部へランプユニット固定部材１４０の係止板部１４２を挿入することで、ランプユニット５０を係止することができるようにしてある。
【００６３】
以上のように、図３に示す六角型ねじ４０に代えて、図８に示すランプユニット固定部材１４０を用いる場合であっても、六角型ねじ４０を用いる場合と同様の効果を得ることができる。
【図面の簡単な説明】
【００６４】
【図１】本発明に係るプロジェクタの構成を示す斜視図である。
【図２】＋型ねじの構成を示す斜視図である。
【図３】六角型ねじの構成を示す斜視図である。
【図４】本発明に係る操作用ねじの構成を示す斜視図である。
【図５】本発明に係るプロジェクタの筐体から蓋体を離脱した場合の分解斜視図である。
【図６】本発明に係るプロジェクタの筐体から蓋体及びランプユニットを離脱した場合の分解斜視図である。
【図７】本発明の変形例１に係る操作用ねじの構成を示す斜視図である。
【図８】本発明の変形例２に係るランプユニット固定部材の構成を示す斜視図である。
【図９】本発明の変形例２に係るランプユニット固定部材が配設されたランプユニット収容部の構成を示す斜視図である。
【符号の説明】
【００６５】
１  筐体
２  上部筐体（筐体部品）
３  下部筐体（筐体部品）
７  ねじ穴
８  ねじ穴
９  開口
１０  ランプユニット収容部
１１  ねじ受部
１２  ねじ穴
２０  蓋体（着脱体）
２１  貫通孔
２２  貫通孔
３０  操作用ねじ（第１の固定部材）
３１  ねじ軸部
３２  係合部
３３  ねじ頭部（操作部）
３４  滑止部
３５  回転操作溝
４０  六角型ねじ（第２の固定部材）
４１  ねじ軸部
４２  ねじ頭部
４３  凹部（被係合部）
４５  ＋型ねじ（第３の固定部材）
４６  ねじ軸部
４７  ねじ頭部
４８  溝
５０  ランプユニット（着脱体）
５１  底板部
５２  ランプ収容部
５３  舌片部
５４  貫通孔
１３０  操作用ねじ（第１の固定部材）
１３１  ねじ軸部
１３２  係合部
１３３  ねじ頭部
１３４  つまみ部
１４０  ランプユニット固定部材（第２の固定部材）
１４１  軸部
１４２  係止板部
１４３  頭部
１４４  凹部
【図１】
2007171670.tif 000003
【図２】
2007171670.tif 000004
【図３】
2007171670.tif 000005
【図４】
2007171670.tif 000006
【図５】
2007171670.tif 000007
【図６】
2007171670.tif 000008
【図７】
2007171670.tif 000009
【図８】
2007171670.tif 000010
【図９】
2007171670.tif 000011